(57)【要約】【課題】ダイバーシティの数をはじめとする構成や、車載の場合のアンテナ取り付け位置や取り付け高さなどが異なる場合に対応した受信装置および受信方法を提供する。【解決手段】受信装置１１６は、受信装置１１６のシステム構成情報と現在地情報を、双方向通信部１１４を介してセンタサーバ１１８に送信する。センタサーバ１１８は、受信システム構成ごとに放送局情報を管理しており、受信装置１１６からの要求に応じて、チャンネル情報を受信装置１１６に送信する。受信装置１１６は、取得したチャンネル情報を補正した情報を用いてチャンネルサーチを行う。【選択図】図１
2014230250.tif 000002
【特許請求の範囲】
【請求項１】
放送信号を受信する受信装置であって、
前記放送信号を受信する放送受信部と、
前記放送受信部の構成に係る情報を含む受信システム識別情報を記憶する記憶部と、
前記受信装置の位置情報を検出する位置検出部と、
外部のネットワークに対して情報を送受信する双方向通信部と、
前記受信装置の動作を制御する制御部を有し、
当該の制御部は、
前記受信システム識別情報と前記位置検出部が検出した位置情報を前記双方向通信部に供給して前記ネットワークに送信し、
前記ネットワークに接続された外部の装置から前記受信システム識別情報と位置情報に応じて送信された前記位置情報が示す位置における受信可能な放送局のチャンネル情報とその信号強度の情報とを含む放送局情報を前記双方向通信部において受信し、
前記放送局情報に基づき前記放送受信部が前記放送信号を受信するよう
前記受信装置を制御することを特徴とする受信装置。
【請求項２】
請求項１に記載の受信装置において、
前記放送局情報を補正する放送局情報信頼性補正部を有し、
前記放送局情報は当該の情報バージョン情報を有し、
前記制御部は、
前記バージョン情報に応じて前記放送局情報信頼性補正部が前記放送局情報を補正し、
補正された前記放送局情報に基づき前記放送受信部が前記放送信号を受信するよう
前記受信装置を制御することを特徴とする受信装置。
【請求項３】
放送信号を受信する受信装置であって、
前記放送信号を受信する放送受信部と、
前記放送受信部の構成に係る情報を含む受信システム識別情報を記憶する記憶部と、
前記受信装置の位置情報を検出する位置検出部と、
外部のネットワークに対して情報を送受信する双方向通信部と、
当該の双方向通信部が受信した情報を補正する放送局情報受信システム補正部と、
前記受信装置の動作を制御する制御部を有し、
当該の制御部は、
前記前記位置検出部が検出した位置情報を前記双方向通信部に供給して前記ネットワークに送信し、
前記ネットワークに接続された外部の装置から前記位置情報に応じて送信された前記位置情報が示す位置における受信可能な放送局のチャンネル情報とその信号強度の情報とを含む放送局情報を前記双方向通信部において受信し、
受信した前記放送局情報を前記受信システム識別情報に基づき前記放送局情報受信システム補正部が補正し、
補正された前記放送局情報に基づき前記放送受信部が前記放送信号を受信するよう
前記受信装置を制御することを特徴とする受信装置。
【請求項４】
請求項３に記載の受信装置において、
前記放送局情報を補正する放送局情報信頼性補正部を有し、
前記放送局情報は当該の情報のバージョン情報を有し、
前記制御部は、
前記バージョン情報に応じて前記放送局情報信頼性補正部が前記放送局情報を補正し、
補正された前記放送局情報に基づき前記放送受信部が前記放送信号を受信するよう
前記受信装置を制御することを特徴とする受信装置。
【請求項５】
請求項１または請求項２に記載の受信装置において、
前記受信システム識別情報は、前記放送受信部が有するアンテナの取り付け場所、当該のアンテナの本数、前記受信装置が搭載される車の車高、当該の車の種類のいずれかに係る情報を有することを特徴とする受信装置。
【請求項６】
請求項２または請求項４に記載の受信装置において、
前記放送局情報のバージョン情報は、前記放送局情報の新しさに関連付けられた数値であることを特徴とする受信装置。
【請求項７】
請求項１または請求項２に記載の受信装置において、
前記制御部は、
前記放送局情報が有する信号強度のデータが大きいチャンネルから順番に、前記放送受信部がチャンネル選局し受信可能な中継局または系列局のチャンネルをサーチするよう
前記受信装置を制御することを特徴とする受信装置。
【請求項８】
請求項１または請求項２に記載の受信装置において、
前記放送受信部は複数のアンテナを有し、
前記制御部は、
いずれかのアンテナに前記受信装置の利用者が選択した放送番組を受信させ、他のアンテナに前記放送局情報が有する信号強度のデータが大きいチャンネルから順番に選局して受信させ、受信可能な中継局または系列局のチャンネルをサーチするよう
前記受信装置を制御することを特徴とする受信装置。
【請求項９】
複数のアンテナを有し第１の放送方式と第２の放送方式を含む複数の放送方式の放送信号を受信する受信装置であって、
前記放送信号を受信する放送受信部と、
前記放送受信部の構成に係る情報を含む受信システム識別情報を記憶する記憶部と、
前記受信装置の位置情報を検出する位置検出部と、
外部のネットワークに対して情報を送受信する双方向通信部と、
前記受信装置の動作を制御する制御部を有し、
当該の制御部は、
前記受信システム識別情報と前記位置検出部が検出した位置情報を前記双方向通信部に供給して前記ネットワークに送信し、
前記ネットワークに接続された外部の装置から前記受信システム識別情報と位置情報に応じて送信された、前記位置情報が示す位置における受信可能な前記第１の放送方式の放送局のチャンネル情報とその信号強度の情報とを含む第１の放送方式の放送局情報と、前記第１の放送方式の放送局と同じ番組を放送する前記第２の放送方式の放送局のチャンネル情報とその信号強度の情報とを含む第２の放送方式の放送局情報と、を前記双方向通信部において受信し、
前記第１および第２の放送方式の放送局情報に基づき前記放送受信部が前記放送信号を受信するよう
前記受信装置を制御することを特徴とする受信装置。
【請求項１０】
請求項９に記載の受信装置において、
前記放送受信部は複数のアンテナを有し、
前記制御部は、
いずれかのアンテナに前記複数の放送方式のうちから選択された放送方式の放送番組を受信させ、
他のアンテナに前記複数の放送方式から逐次選択された放送方式の放送番組を前記放送局情報が有する信号強度のデータが大きいチャンネルから順番に選局して受信させ、受信可能な中継局または系列局のチャンネルをサーチするよう
前記受信装置を制御することを特徴とする受信装置。
【請求項１１】
請求項３に記載の受信装置において、
前記放送局情報受信システム補正部が前記放送局情報を補正する際に用いる補正値を前記受信装置の利用者が設定する
ことを特徴とする受信装置。
【請求項１２】
請求項１または請求項３に記載の受信装置と、前記放送局情報を有し前記ネットワークに対して情報を送受信する双方向通信部を備えるサーバ装置と、を有することを特徴とする受信システム。
【発明の詳細な説明】
【技術分野】
【０００１】
本発明は、映像、音声、データなどのデジタル情報を送受信するデジタル放送の受信技術に係り、特に車載やモバイルなど移動しながら受信する受信装置に関する。
【背景技術】
【０００２】
従来、放送受信装置が存在する場所で受信可能な放送チャンネルに関する情報を、所定のサーバから提供する情報提供システムがある。
たとえば、特許文献１には、情報を提供するセンタが放送受信装置から設置場所を示す情報を受信した場合に、放送受信装置の設置場所において受信可能な放送チャンネルに関する情報を返信する情報提供システムが開示されている。この情報提供システムによれば、たとえば、新規に設置された放送受信装置は、受信可能な放送チャンネルのサーチを独自に行わなくても、センタから受信した情報に基づき、設置場所において受信可能な放送チャンネルを容易に設定することができる。
【先行技術文献】
【特許文献】
【０００３】
【特許文献１】特許第４２５３６０２号公報
【発明の概要】
【発明が解決しようとする課題】
【０００４】
上記特許文献１は、基本的に受信装置が固定された状態での受信方法に関して示しており、時々刻々として変化する移動受信用の受信装置に適した受信方法を考慮していなかった。また、受信機により、ダイバーシティの数などの構成や、車載の場合のアンテナ取り付け位置や取り付け高さなどが異なることに対応していなかった。
【０００５】
本発明はこのような状況に鑑みてなされたものであり、その目的は、受信機の構成、或いはアンテナ取り付け位置をはじめとする受信機条件に応じて、受信状態の良い送信局を事前に情報入手できる受信装置を提供することにある。
【課題を解決するための手段】
【０００６】
上記目的を達成するために、例えば、特許請求の範囲に記載の構成を採用する。
【発明の効果】
【０００７】
本発明によれば、受信機の構成、或いはアンテナ取り付け位置をはじめとする受信機条件に応じて、受信状態の良い放送局のチャンネル情報を事前に情報入手することができる。また、実施形態によっては、前記チャンネル情報をその信頼性に応じて補正することで、より精度の高い受信情報とすることができるという効果がある。 
【図面の簡単な説明】
【０００８】
【図１】第１の実施形態に係るデジタル放送受信装置を示すブロック図。
【図２】第１の実施形態に係る受信システム識別情報の一例を示す図。
【図３】第１の実施形態に係るデジタル放送受信装置の動作フロー図。
【図４】第１の実施形態に係る放送局情報の一例を示す図。
【図５Ａ】第１の実施形態に係る放送局情報の補正方法を示す第１の図。
【図５Ｂ】第１の実施形態に係る放送局情報の補正方法を示す第２の図。
【図６】第２の実施形態に係るデジタル放送受信装置を示すブロック図。
【図７】第２の実施形態に係るデジタル放送受信装置の動作フロー図。
【図８】第２の実施形態に係る放送局情報の補正方法を示す図。
【図９Ａ】受信システム識別情報に関する設定メニューの第１の例を示す図。
【図９Ｂ】受信システム識別情報に関する設定メニューの第２の例を示す図。
【図１０Ａ】第３の実施形態に係るデジタル放送受信装置の第１の動作フロー図。
【図１０Ｂ】第３の実施形態に係るデジタル放送受信装置の第２の動作フロー図。
【図１１】第４の実施形態に係るデジタル放送受信装置を示すブロック図。
【図１２Ａ】第４の実施形態に係るデジタル放送受信装置の第１の動作フロー図。
【図１２Ｂ】第４の実施形態に係るデジタル放送受信装置の第２の動作フロー図。
【図１３】第５の実施形態に係る放送局情報の一例を示す図。
【図１４】第５の実施形態に係るデジタル放送受信装置の動作フロー図。
【発明を実施するための形態】
【０００９】
以下、本発明を実施するための形態について図面を参照して詳述する。なお、図面において、同一符号は、同一または相当部分を示す。また、本発明は、図示例に限定されるものではない。
本発明の実施形態における受信装置は、様々な放送規格の受信に対応しており、サポートされる放送規格は、ＤＶＢ−Ｔ（Digital Video Broadcasting−Terrestrial）、ＤＶＢ−Ｔ２（Digital Video Broadcasting−Terrestrial 2）、ＤＶＢ−Ｈ（Digital Video Broadcasting−Handheld）、ＤＶＢ−ＳＨ（Digital Video Broadcasting −Satellite services to Handheld）、ＤＴＭＢ（Digital Terrestrial Multimedia Broadcasting）、ＣＭＭＢ（China Mobile Multimedia Broadcasting）、Ｔ−ＤＭＢ（Terrestrial−Digital Media Broadcasting）、Ｓ−ＤＭＢ（Satellite−Digital Media Broadcasting）ＩＳＤＢ−Ｔ（Ｉntegrated Services Digital Broadcasting−Terrestrial）、ＩＳＤＢ−ＴＳＢ（Ｉntegrated Services Digital Broadcasting−Terrestrial Sound Broadcasting）、ＩＳＤＢ−Ｔｍｍ（Ｉntegrated Services Digital Broadcasting Mobile Multimedia）、ＡＴＳＣ（Advanced Television Systems Committee）、ＡＴＳＣ−Ｍ／Ｈ（Advanced Television Systems Committee−Mobile / Handheld）、ＭｅｄｉａＦＬＯ（Forward Link Only）、ＤＡＢ（Digital Audio Broadcasting）などを含む。本発明の実施形態における受信装置は、一例として、日本の地上デジタル放送規格であるＩＳＤＢ−Ｔの受信機能を有するものとして説明する。
【実施例１】
【００１０】
図１は、第１の実施形態に係るデジタル放送受信装置を示すブロック図である。
１０１は放送信号を受信するアンテナ部、１０２は選局部、１０３は復調部、１０４は多重分離部、１０５はＡ／Ｖデコード部、１０６は音声出力端子、１０７は提示処理部、１０８は映像出力端子、１０９はアンテナ部１０１から映像出力端子１０８に至る構成要素をまとめたもので、放送受信部と呼ぶ。１１０は制御部、１１１は記憶部、１１２は受信チャンネル選択部（以下、ＣＨ選択部）、１１３は位置情報検出部、１１４は双方向通信部、１１５は放送局情報信頼性補正部、１１６はアンテナ部１０１から放送局情報信頼性補正部１１５に至る構成要素をまとめたもので、受信装置と呼ぶ。１１７はネットワーク、１１８はセンタサーバ、１１９は放送局情報データベースである。
【００１１】
アンテナ部１０１は、放送電波を受信し選局部１０２に出力する。選局部１０２は、制御部１１０からの指示に従い、所定の受信チャンネルを選択し、選択した受信チャンネル信号を復調部１０３に出力する。復調部１０３は、供給された受信チャンネル信号を伝送路復調し、ＴＳ（Ｔｒａｎｓｐｏｒｔ  Ｓｔｒｅａｍ）信号を出力する。多重分離部１０４は、ＴＳ信号から音声データおよび映像データを抽出し、Ａ／Ｖデコード部に出力する。Ａ／Ｖデコード部１０５は、音声データを復号し、音声信号として出力端子１０６に出力する。また、Ａ／Ｖデコード部１０５は、映像データを復号し、映像信号として提示処理部１０７に出力する。提示処理部１０７は、映像信号と制御部１１０から指示された情報データを多重して出力端子１０８に出力する。
【００１２】
記憶部１１１は、デジタル放送受信装置に内蔵されるメモリ、または取り外し可能な外部メモリなどから構成され、各種情報を記憶する。
ＣＨ選択部１１２は、記憶部１１１に記憶された放送局データから、視聴者が希望する１つの放送局のチャンネルが選択され、そのチャンネル情報が制御部１１０に供給される。
【００１３】
位置情報検出部１１３は、例えば、衛星を利用した測位システムなどを用いて、デジタル放送受信装置の位置を検出し、その位置情報が制御部１１０に供給される。衛星を利用した測位システムには、米国で開発されたＧＰＳ（Ｇｌｏｂａｌ  Ｐｏｓｉｔｉｏｎｉｎｇ  Ｓｙｓｔｅｍ）のほか、ロシアのＧＬＯＮＡＳＳ（Ｇｌｏｂａｌ  Ｎａｖｉｇａｔｉｏｎ  Ｓａｔｅｌｌｉｔｅ  Ｓｙｓｔｅｍ）、欧州のＧａｌｉｌｅｏ、中国のＣＯＭＰＡＳＳ（Ｃｏｍｐａｓｓ  Ｎａｖｉｇａｔｉｏｎ  Ｓａｔｅｌｌｉｔｅ  Ｓｙｓｔｅｍ）、日本の順天頂衛星システムなどがある。
【００１４】
双方向通信部１１４は、携帯電話、無線ＬＡＮ（Ｌｏｃａｌ  Ａｒｅａ  Ｎｅｔｗｏｒｋ）、Ｂｌｕｅｔｏｏｔｈ（登録商標）、ＷｉＭＡＸなどの通信機能を備え、これらのネットワーク１１７を介してセンタサーバ１１８と接続し、放送局情報データベース１１９に格納された放送局情報を取得し、記憶部１１１に記憶する。
【００１５】
放送局情報信頼性補正部１１５は、センタサーバから取得した放送局情報の値を、例えば後記するように補正する。
以上の説明では、アンテナ部１０１と選局部１０２は１系統であるが、これらを複数系統有したダイバーシティ構成とし、復調部１０３が複数の受信信号を復調しダイバーシティ合成してもよい。
以下、図２から図４を用いて詳細に説明する。
【００１６】
図２は、第１の実施形態に係る受信システム識別情報の一例を示す図である。当該の受信システム識別情報は、記憶部１１１に記憶され、受信装置１１６がセンタサーバ１１８から放送局情報を取得する際に、取得に先立って受信装置１１６からセンタサーバ１１８に送信される。本受信システム識別情報は、アンテナ取り付け位置、ダイバーシティ数、受信装置１１６が搭載される移動体の車高をパラメータにして、定義された一例である。例えば、アンテナ取り付け位置がフロント、ダイバーシティ数が４、受信装置１１６が搭載される移動体の車高が「低」に分類される受信装置の受信システム識別情報は「Ｄ１」となり、受信装置１１６がセンタサーバ１１８から放送局情報を取得する際に、取得に先立って「Ｄ１」という情報が受信装置１１６からセンタサーバ１１８に送信される。
【００１７】
図３は、第１の実施形態に係るデジタル放送受信装置の動作フロー図であり、受信可能な放送局の受信チャンネルを探索するための動作フローを示す。
まず、制御部１１０は、位置情報検出部１１３から現在の位置情報を取得する（Ｓ３０１）。
次に、制御部１１０は、記憶部１１１に記憶されている受信装置１１６の受信システム識別情報を取得する（Ｓ３０２）。
【００１８】
そして、制御部１１０は、双方向通信部１１４を介して、前記した位置情報と受信システム識別情報をセンタサーバ１１８に送信することで、放送局情報の取得を要求する（Ｓ３０３）。
センタサーバ１１８内の放送局情報データベース１１９には、受信システム識別情報に応じて、位置情報に基づく放送局の周波数や関連する系列局などの受信レベル情報を有しており、センタサーバ１１８は、受信装置１１６から受信した位置情報と受信システム識別情報をもとに、放送局情報データベース１１９から対応する放送局情報を抽出する（Ｓ３０４）。
【００１９】
なお、センタサーバ１１８では、放送局情報データベース１１９のバージョンアップやソフトウェアの更新処理などが行われ、これにより変化する放送局情報の信頼性をバージョン情報として管理している。本実施例では、バージョン管理情報は数値で管理され、バージョン管理情報が大きいほど放送局情報の信頼性は高く、バージョン管理情報が小さいほど放送局情報の信頼性は低いものとする。センタサーバ１１８は、Ｓ３０４で抽出した放送局情報と、放送局情報のバージョン管理情報を受信装置１１６に送信する（Ｓ３０５）。
【００２０】
図４は、第１の実施形態に係るセンタサーバ１１８から受信装置１１６に送信される放送局情報の一例を示す図であり、各放送局について、中継局及び系列局のチャンネルと信号強度が対応付けられている。ここで、信号強度は大きいほど電波状態は良好、小さいほど電波状態は不良であるものとする。
制御部１１０は、双方向通信部１１４から放送局情報とバージョン管理情報を受信した後、放送局情報信頼性補正部１１５を用いて、受信した放送局情報が有する信号強度のデータを補正する（Ｓ３０６）。
【００２１】
図５Ａ及び図５Ｂは、第１の実施形態に係る放送局情報の補正方法を示す第１及び第２の図であり、放送局情報信頼性補正部１１５における放送局情報の信号強度補正処理の一例を示す。
図５Ａは、バージョン管理情報の範囲を０から１００とし、信号強度の補正係数を（式１）で定め、
補正係数＝バージョン管理情報−１００        （式１）
補正後の信号強度を（式２）で求めたものである（５０１）。
補正後の信号強度＝補正前の信号強度＋補正係数        （式２）
バージョン管理情報が８０である場合、図４で示した放送局情報の信号強度のデータは、（式２）の補正処理により図５Ａの５０２で示すデータとなる。なお、補正処理後の負数は０に置換している。即ちセンタサーバ１１８における放送局情報データベース１１９のバージョンが古い（バージョン管理情報が示す値が小さい）ほど、信号強度のデータが小さい値に補正される。
【００２２】
また、図５Ｂは、バージョン管理情報の範囲を０から１００とし、信号強度の補正係数を（式３）で定め、
補正係数＝バージョン管理情報／１００        （式３）
補正後の信号強度を（式４）で求めたものである（５０３）。
補正後の信号強度＝補正前の信号強度×補正係数        （式４）
バージョン管理情報が８０である場合、図４で示した放送局情報の信号強度のデータは、（式４）の補正処理により図５Ｂの５０４で示すデータとなる。即ちセンタサーバ１１８における放送局情報データベース１１９のバージョンが古い（バージョン管理情報が示す値が小さい）ほど、信号強度のデータが小さい値に補正される。
【００２３】
図３に戻り、さらに説明する。Ｓ３０６で放送局情報を例えば前記したように補正した後、制御部１１０は、この補正された放送局情報を用いて、チャンネルサーチ処理を行う（Ｓ３０７）
現在地で視聴可能な放送局の受信チャンネルを検出する場合、まず制御部１１０は、希望する放送局の放送局情報を参照し、中継局及び系列局の信号強度に応じてチャンネルのサーチ順番を決定する。そして、制御部１１０は、放送受信部１０９に対して、決定したサーチ順番でチャンネル選局し、各チャンネルの受信状態（受信強度、エラーレート、Ｃ／Ｎなど）を元に、最適な受信チャンネルを決定する。チャンネルサーチの詳細は別の実施例で説明する。
【００２４】
その後、制御部１１０は、チャンネルサーチ処理で得られたサーチ結果情報をセンタサーバ１１８に送信する（Ｓ３０８）。サーチ結果情報とは、例えば、放送局名、受信チャンネル、受信強度、エラーレート、Ｃ／Ｎ、時刻、現在地、走行道路名、走行方向、放送方式、天候などである。
センタサーバ１１８は、サーチ結果情報を受け取ると、これを用いて放送局情報データベース１１９を更新する（Ｓ３０９）。但し、放送局情報データベース１１９の構築手段は任意でありどのような方法であっても良い。
【００２５】
なお、本実施例では、放送局情報取得要求（Ｓ３０３）において、位置情報と受信システム識別情報を送信したが、チャンネルサーチ（Ｓ３０７）で特定の放送局に限定したチャンネルサーチを行う場合は、上記情報に加えて、更にチャンネルサーチを行う放送局名をセンタサーバ１１８に送信し、センタサーバ１１８は、受信した放送局名に関する放送局情報を受信装置１１６に返信するように構成しても良い。
【００２６】
以上のように、受信装置１１６は、センタサーバ１１８から受信システムに適した放送局情報を取得することができるので、受信状態の良い放送局のチャンネル情報をセンタサーバから事前に情報入手することができ、さらにはチャンネルサーチ（Ｓ３０８）にかかる時間を短縮できる効果がある。また、受信装置１１６において、放送局情報のバージョン管理情報を用いた放送局情報の補正処理（Ｓ３０６）を行うため、放送局情報の信頼性の程度を考慮した適切なチャンネルサーチを実現できる。
【００２７】
なお、放送局情報の信号強度のデータを補正する方法として、放送局情報データベース１１９のバージョンに基づく方法を例にあげたが、前記データが新しいデータであるか否かに応じて補正できれば、他の方法であっても良い。例えば、データが更新された際の日時から現在時刻までの時間に基づき、古いデータほど値を小さくするような補正を行っても良い。
【実施例２】
【００２８】
図６は、第２の実施形態に係るデジタル放送受信装置を示すブロック図である。図１と同一符号は同一機能を示す。図６では図１に対して、放送局情報受信システム補正部１２０が加えられている。
図７は、第２の実施形態に係るデジタル放送受信装置の動作フロー図であり、受信可能な放送局の受信チャンネルを探索するための動作フローである。図３と同一符号は同一処理を示す。
【００２９】
まず、制御部１１０は、位置情報検出部１１３から現在の位置情報を取得する（Ｓ３０１）。そして、制御部１１０は、双方向通信部１１４を介して、取得した位置情報をセンタサーバ１１８に送信し、放送局情報の取得を要求する（Ｓ７０１）。
センタサーバ１１８は、受信装置１１６から受信した位置情報をもとに、放送局情報データベース１１９から対応する放送局情報を抽出し（Ｓ３０４）、抽出した放送局情報と、放送局情報のバージョン管理情報を受信装置１１６に送信する（Ｓ３０５）。
制御部１１０は、双方向通信部１１４から放送局情報を受けた後、記憶部１１１に記憶されている受信装置１１６の受信システム識別情報を確認する（Ｓ７０２）。
【００３０】
図８は、第２の実施形態に係る放送局情報の補正方法を示す図であり、放送局情報信頼性補正部１１５における放送局情報の信号強度補正処理の一例を示す。
図８の８０１は、記憶部１１１に記憶される受信システムに応じた補正値情報の一例である。本受信システム補正値情報は、アンテナ取り付け位置、ダイバーシティ数、受信装置１１６が搭載される移動体の車高をパラメータにして、定義されている。例えば、アンテナ取り付け位置がフロント、ダイバーシティ数が４、受信装置１１６が搭載される移動体の車高が「低」に分類される受信装置の受信システム補正値情報は「１０」である。
次に、制御部１１０は、放送局情報受信システム補正部１２０を用いて、受信した放送局情報の信号強度のデータを補正する（Ｓ７０３）。
【００３１】
図８の８０２は、放送局情報受信システム補正部１２０における放送局情報の信号強度補正処理後の信号強度のデータの一例を示す。補正後の信号強度は、（式５）で与えられる。
補正後の信号強度＝補正前の信号強度＋補正係数        （式５）
受信装置の特徴において、アンテナ取り付け位置がフロント、ダイバーシティ数が４、受信装置１１６が搭載される移動体の車高が「低」に分類される場合、図４で示した放送局情報の信号強度は、この補正処理により８０２となる。なお、補正処理前に信号強度０は補正処理後も０とし、また、補正処理後の負数は０に置換するものとする。
【００３２】
その後、制御部１１０は、放送局情報信頼性補正部１１５を用いて、受信した放送局情報の信号強度を前記したようにバージョン管理情報に基づいて補正する（Ｓ３０６）。
制御部１１０は、Ｓ７０３及びＳ３０６で補正後の放送局情報を用いて、チャンネルサーチ処理を行う（Ｓ３０７）。
その後、制御部１１０は、チャンネルサーチ処理で得られたサーチ結果情報をセンタサーバ１１８に送信し（Ｓ３０８）、センタサーバ１１８は、サーチ結果情報を受け、放送局情報データベース１１９を更新する（Ｓ３０９）。
【００３３】
以上のように、受信装置１１６は、受信状態の良い放送局のチャンネル情報をセンタサーバから事前に情報入手することができ、さらにはセンタサーバ１１８から受信した放送局情報に対して受信システムに応じて補正処理を行うことで、受信システムに適した放送局情報に補正することができ、さらには補正後の放送局情報を用いることで、チャンネルサーチ（Ｓ３０８）にかかる時間を短縮できる効果がある。また、センタサーバ１１８は、受信システムに応じた放送局情報の構築が不要のため、センタサーバ１１８の負荷を軽減することができる。
なお、本発明の実施例１及び実施例２では、受信システム識別は予め定められているものとしたが、利用者が決定できるように構成されていても良い。
【００３４】
図９Ａ及び図９Ｂは、受信システム識別情報に関する設定メニューの第１及び第２の例を示す図である。
図９Ａは、受信装置１１６に付随するＴＶモニタ上から受信システム識別が設定可能なメニュー画面の一例である。制御部１１０から提示処理部１０７に対してメニュー画面の出力指示が行われ、映像出力端子１０８を介してＴＶモニタ上にメニュー画面が出力される。利用者は、車両高さ、ダイバーシティ数、アンテナ取り付け位置を選択し、これに基づき受信システム識別情報が決定され、記憶部１１１に記憶される。
また、受信システム識別を構成する要素として、車両高さ、ダイバーシティ数、アンテナ取り付け位置を用いたが、これに限定されるものではなく、いずれか１つの要素を用いても良いし、更にはこれらの構成要素以外の要素を用いても良い。あるいは、受信装置１１６が搭載される移動体の車両名や車種名によって受信システム識別を決定しても良い。
【００３５】
図９Ｂは、受信装置１１６に付随するＴＶモニタ上から受信システム識別に応じた補正値を設定するメニュー画面の一例である。利用者は、メニュー画面より補正値（ここでは−３０から＋３０の範囲とする）を選択し、選択した補正値が記憶部１１１に記憶される。
上記した実施例１の図３および実施例２の図７のフローチャートを開始するタイミングについては、例えば、視聴番組の受信状態が低下した場合、視聴番組が受信不可となった場合、あるいは、視聴番組の放送地域から外れた場合、また、定期的に実施するなど、どのようなタイミングで行うように制御しても良い。
【実施例３】
【００３６】
本実施例では、チャンネルサーチ（Ｓ３０７）の詳細を説明する。本実施例では、放送受信部１０９は、視聴者がＣＨ選択部１１２から選択した「局名Ｉ」の番組を受信しているものとし、チャンネルサーチでは「局名Ｉ」の中継局チャンネルや系列局チャンネルを探索する例について説明する。
本実施例における受信装置の構成は図１または図６と同様である。また、本実施例では、図８の８０２で示した放送局情報を用いて説明する。
【００３７】
図１０Ａ及び図１０Ｂは、第３の実施形態に係るデジタル放送受信装置の第１及び第２の動作フロー図である。
図１０Ａは、本実施例の受信装置１１６におけるチャンネルサーチの動作を示す動作フロー図の一例である。
まず、制御部１１０は、記憶部１１１に記憶された放送局情報を参照し、中継局チャンネルを信号強度が大きい順番に並べる（Ｓ１００１）。並べ替え後の中継局チャンネル順番は、ａ１→ａ６→ａ７→ａ２→ａ４→ａ３→ａ５→ａ８となる。
【００３８】
次に、制御部１１０は、選局部１０２に「ａ１」チャンネル（並べ替え後の先頭チャンネル）を設定し、選局部１０２は「ａ１」チャンネルを選局する（Ｓ１００２）。復調部１０３は、「ａ１」チャンネルの復調処理を行うと共に、受信強度、エラーレート、Ｃ／Ｎなどの受信状態を示す情報（以下、受信品質情報）を算出し、制御部１１０に出力する。また、多重分離部１０４は、番組特定情報（以下、ＰＳＩ：Ｐｒｏｇｒａｍ  Ｓｐｅｃｉｆｉｃ  Ｉｎｆｏｒｍａｔｉｏｎ）や番組配列情報（以下、ＳＩ：Ｓｅｒｖｉｃｅ  Ｉｎｆｏｒｍａｔｉｏｎ）などを抽出し、制御部１１０に出力する。
【００３９】
制御部１１０は、これらの情報をもとに、受信判定を行う（Ｓ１００３）。制御部１１０は、受信品質情報から「ａ１」チャンネルが視聴可能な受信品質であるか否かを判断し、視聴可能な受信品質であると判断した場合は、更に、ＰＳＩ／ＳＩ情報からネットワークＩＤ（ｎｅｔｗｏｒｋ＿ｉｄ）を取得し、「局名Ｉ」のネットワークＩＤと一致するか否かを判定する（Ｓ１００３Ａ）。取得したネットワークＩＤが「局名Ｉ」のネットワークＩＤと一致した場合は、中継局と判断し、ステップＳ１００４に進む。取得したネットワークＩＤが「局名Ｉ」のネットワークＩＤと一致しない場合、あるいは、ステップＳ１００３で受信品質情報から「ａ１」チャンネルを視聴できない受信品質と判断した場合は、ステップＳ１００５に進む。
【００４０】
ステップＳ１００５では、他にサーチしていない中継局チャンネルがあるか否かを判定し、他に中継局チャンネルがある場合は（図中のＮＯ）、ステップＳ１００２に戻り、ステップＳ１００１で並べ替えた順番でチャンネル設定を行う。また、他に中継局チャンネルがない場合は（図中のＹＥＳ）、ステップＳ１００６に進む。
ステップＳ１００４では、放送受信部１０９はステップＳ１００３で発見した中継局チャンネルを受信し、本フローを終了する。
ステップＳ１００６では、制御部１１０は、系列局チャンネルを信号強度が大きい順番に並べる。並べ替え後の系列局チャンネル順番は、ｂ６→ｂ２→ｂ１→ｂ３→ｂ４→ｂ５となる。
【００４１】
次に、制御部１１０は、選局部１０２に「ｂ６」チャンネル（並べ替え後の先頭チャンネル）を設定し、選局部１０２は「ｂ６」チャンネルを選局する（Ｓ１００７）。ステップＳ１００２と同様に、復調部１０３は、「ｂ６」チャンネルの復調処理を行うと共に、受信品質情報を算出し、制御部１１０に出力する。また、多重分離部１０４は、ＰＳＩ／ＳＩ情報などを抽出し、制御部１１０に出力する。
【００４２】
制御部１１０は、これらの情報をもとに、受信判定を行う（Ｓ１００８）。制御部１１０は、受信品質情報から「ｂ６」チャンネルを視聴可能な受信品質であるか否かを判断し、視聴可能な受信品質であると判断した場合は、更に、ＰＳＩ／ＳＩ情報から系列ＩＤ（ａｆｆｉｌｉａｔｉｏｎ＿ｉｄ）を取得し、「局名Ｉ」の系列ＩＤと一致するか否かを判定する（Ｓ１００８Ａ）。取得した系列ＩＤが「局名Ｉ」の系列ＩＤと一致した場合は、系列局と判断し、ステップＳ１００９に進む。取得した系列ＩＤが「局名Ｉ」の系列ＩＤと一致しない場合、あるいは、ステップＳ１００８で受信品質情報から「ｂ６」チャンネルを視聴できない受信品質と判断した場合は、ステップＳ１０１０に進む。
【００４３】
ステップＳ１０１０では、他に系列局チャンネルがあるか否かを判定し、他に系列局チャンネルがある場合は（図中のＮＯ）、ステップＳ１００７に戻り、ステップＳ１００６で並べ替えた順番でチャンネル設定を行う。また、他にサーチしていない系列局チャンネルがない場合は（図中のＹＥＳ）、現在地において視聴可能な「局名Ｉ」の中継局チャンネルおよび系列局チャンネルは存在しないと判断し、本フローを終了する。
ステップＳ１００９では、放送受信部１０９はステップＳ１００８で発見した系列局チャンネルを受信し、本フローを終了する。
【００４４】
図１０Ｂは、本実施例の受信装置１１６におけるチャンネルサーチの動作を示す動作フロー図の別の一例である。
まず、制御部１１０は、記憶部１１１に記憶された放送局情報を参照し、中継局チャンネルおよび系列局チャンネルを一緒にし、信号強度が大きい順番に並べる（Ｓ１０１１）。並べ替え後のチャンネル順番は、ａ１→ａ６→ｂ５→ａ７→ａ２→ｂ２→ａ４→ａ３→ａ５→ａ８→ｂ１→ｂ３→ｂ４→ｂ５となる。
【００４５】
次に、制御部１１０は、選局部１０２に「ａ１」チャンネル（並べ替え後の先頭チャンネル）を設定し、選局部１０２は「ａ１」チャンネルを選局する（Ｓ１０１２）。復調部１０３は、「ａ１」チャンネルの復調処理を行うと共に、受信品質情報を算出し、制御部１１０に出力する。また、多重分離部１０４は、ＰＳＩ／ＳＩ情報などを抽出し、制御部１１０に出力する。
【００４６】
制御部１１０は、これらの情報をもとに、受信判定を行う（Ｓ１０１３）。制御部１１０は、受信品質情報から「ａ１」チャンネルを視聴可能な受信品質であるか否かを判断し、視聴可能な受信品質であると判断した場合は、更に、ＰＳＩ／ＳＩ情報からネットワークＩＤおよび系列ＩＤを取得し、「局名Ｉ」のネットワークＩＤまたは系列ＩＤと一致するか否かを判定する（Ｓ１０１３Ａ）。取得したネットワークＩＤが「局名Ｉ」のネットワークＩＤと一致した場合、または取得した系列ＩＤが「局名Ｉ」の系列ＩＤと一致した場合、中継局または系列局と判断し、ステップＳ１０１４に進む。取得したネットワークＩＤと系列ＩＤのいずれも「局名Ｉ」のネットワークＩＤまたは系列ＩＤと一致しない、あるいは、ステップＳ１０１３で受信品質情報から「ａ１」チャンネルを視聴できない受信品質と判断した場合は、ステップＳ１０１５に進む。
【００４７】
ステップＳ１０１４では、放送受信部１０９はステップＳ１０１３で発見した中継局チャンネルまたは系列局チャンネルを受信し、本フローを終了する。
【００４８】
ステップＳ１０１５では、他にサーチしていない中継局チャンネルまたは系列局チャンネルがあるか否かを判定し、他にある場合は（図中のＮＯ）、ステップＳ１０１２に戻り、ステップＳ１０１１で並べ替えた順番でチャンネル設定を行う。また、他に中継局チャンネルまたは系列局チャンネルがない場合は（図中のＹＥＳ）、現在地において視聴可能な「局名Ｉ」の中継局チャンネルおよび系列局チャンネルは存在しないと判断し、本フローを終了する。
【００４９】
先の図１０Ａでは、まず中継局のチャンネルをサーチし、受信状態の良いチャンネルを発見できなかった場合に系列局のチャンネルをサーチする。一方、図１０Ｂでは、中継局か系列局かを区別せずにチャンネルをサーチする。
【００５０】
図１０Ａ及び図１０Ｂでは、放送局情報に記載された全ての中継局チャンネルおよび系列局チャンネルについてサーチを行う処理としたが、例えば、信号強度が「０」、あるいは、信号強度が所定の閾値未満のチャンネルはサーチを行わない処理としても良い。所定の閾値とは、例えば、番組視聴に必要な最小の信号強度とすれば良い。
【００５１】
以上のように、制御部１１０は、放送局情報の信号強度が大きいチャンネルから順番にサーチを行うことで、受信状態が良好な受信チャンネルを効率よく発見できるという効果がある。また、信号強度の閾値処理によりサーチ対象のチャンネル数を限定することで、チャンネルサーチ処理全体に要する時間を短縮することも可能である。
【実施例４】
【００５２】
図１１は、第４の実施形態に係るデジタル放送受信装置を示すブロック図である。
図１と同一符号は同一機能を示す。１０１ａ、１０１ｂはアンテナ部、１０２ａ、１０２ｂは選局部、１２１は復調・合成部、１０４ａ、１０４ｂは多重分離部、１２２は２入力対応Ａ／Ｖデコード部である。
【００５３】
アンテナ部１０１ａ、１０１ｂは、放送電波を受信し選局部１０２ａ、１０２ｂにそれぞれ出力する。選局部１０２ａ、１０２ｂは、制御部１１０からの指示に従い、所定の受信チャンネルを選択し、選択した受信チャンネル信号を復調・合成部１２１にそれぞれ出力する。復調・合成部１２１は、供給された受信チャンネル信号を伝送路復調し、復調して得たＴＳ信号をそれぞれ多重分離部１０４ａ、１０４ｂに出力する。また、復調・合成部１２１は、制御部１１０からの指示に従い、供給された受信チャンネル信号を復調およびダイバーシティ合成し、合成して得たＴＳ信号を多重分離部１０４ａまたは１０４ｂに出力することもできる。
【００５４】
多重分離部１０４ａ、１０４ｂは、ＴＳ信号から音声データおよび映像データを抽出し、２入力対応Ａ／Ｖデコード部１２２に出力する。２入力対応Ａ／Ｖデコード部１２２は、供給された２系統の音声データおよび映像データをそれぞれ復号し、制御部１１０からの指示により、どちらか一方の系統の復号された音声信号および映像信号を出力端子１０６、提示処理部１０７に出力する。
以上の説明では、アンテナ部１０１ａ、１０１ｂと選局部１０２ａ、１０２ｂは２系統であるが、さらに系統数を増やしたダイバーシティ構成とし、復調・合成部１２１で合成してもよい。
【００５５】
図１２Ａ及び図１２Ｂは、第４の実施形態に係るデジタル放送受信装置の第１及び第２の動作フロー図である。
図１２Ａは、本実施例の受信装置１１６におけるチャンネルサーチの動作を示す動作フロー図の一例である。本実施例では、放送受信部１０９は、視聴者がＣＨ選択部１１２に指示して選択した「局名Ｉ」の番組を受信しているものとし、チャンネルサーチでは「局名Ｉ」の中継局チャンネルや系列局チャンネルを探索する例について説明する。本実施例では、図８の８０２で示した放送局情報を用いて説明する。
【００５６】
まず、初期状態として、受信装置１１６は、全ての選局部を用いたダイバーシティ受信により「局名Ｉ」を受信している状態であるとする。具体的には、制御部１１０は、選局部１０２ａ、１０２ｂに「局名Ｉ」の受信チャンネルを設定し、選局部１０２ａ、１０２ｂは「局名Ｉ」のチャンネルを選局する。また、復調・合成部１２１は、２つの受信信号を復調・ダイバーシティ合成し、多重分離部１０４ａに出力する。そして、多重分離部１０４ａ、２入力対応Ａ／Ｖデコード部１２２、提示処理部１０７などを経由し、「局名Ｉ」の音声信号および映像信号がそれぞれ音声出力端子１０６および映像出力端子１０８から出力される。
【００５７】
ステップＳ１２０１で、制御部１１０は、記憶部１１１に記憶された放送局情報を参照し、中継局チャンネルを信号強度が大きい順番に並べる（Ｓ１２０１）。並べ替え後の中継局チャンネル順番は、ａ１→ａ６→ａ７→ａ２→ａ４→ａ３→ａ５→ａ８となる。
次に、制御部１１０は、ダイバーシティ合成受信を解除する（Ｓ１２０２）。具体的には、制御部１１０は、復調・合成部１２１に対し、選局部１０２ａ、１０２ｂからの受信信号をそれぞれ復調し、ダイバーシティ合成は行わず、復調して得たＴＳ信号をそれぞれ多重分離部１０４ａ、１０４ｂに出力させる。
【００５８】
続いて、制御部１１０は、選局部１０２ｂに「ａ１」チャンネル（並べ替え後の先頭チャンネル）を設定し、選局部１０２ｂは「ａ１」チャンネルを選局する（Ｓ１２０３）。復調・合成部１２１は、「ａ１」チャンネルの復調処理を行うと共に、受信品質情報を算出し、制御部１１０に出力する。また、多重分離部１０４ｂは、ＰＳＩ／ＳＩ情報などを抽出し、制御部１１０に出力する。
【００５９】
制御部１１０は、これらの情報をもとに、受信判定を行う（Ｓ１２０４）。制御部１１０は、「ａ１」チャンネルの受信品質と、選局部１０２ａの受信チャンネルの受信品質とを比較し、「ａ１」チャンネルの受信品質の方が大きい（良好である）と判断した場合は、更に、ＰＳＩ／ＳＩ情報からネットワークＩＤ（ｎｅｔｗｏｒｋ＿ｉｄ）を取得し、「局名Ｉ」のネットワークＩＤと一致するか否かを判定する（Ｓ１２０４Ａ）。取得したネットワークＩＤが「局名Ｉ」のネットワークＩＤと一致した場合は、中継局と判断し、ステップＳ１２０５に進む。取得したネットワークＩＤが「局名Ｉ」のネットワークＩＤと一致しない場合、あるいは、ステップＳ１２０４で「ａ１」チャンネルの受信品質が選局部１０２ａの受信品質よりも小さい（不良である）と判断した場合は、ステップＳ１２０６に進む。
【００６０】
ステップＳ１２０６では、他にサーチしていない中継局チャンネルがあるか否かを判定し、他に中継局チャンネルがある場合は（図中のＮＯ）、ステップＳ１２０３に戻り、ステップＳ１２０１で並べ替えた順番でチャンネル設定を行う。また、他に中継局チャンネルがない場合は（図中のＹＥＳ）、ステップＳ１２０７に進む。
【００６１】
ステップＳ１２０５では、放送受信部１０９はステップＳ１２０４およびＳ１２０４Ａで発見した中継局チャンネルを受信後、ダイバーシティ合成受信を行い（Ｓ１２１２）、本フローを終了する。具体的には、制御部１１０は、選局部１０２ａ、１０２ｂに対して発見した中継局チャンネルを選局すると共に、復調・合成部１２１に対して２つの受信信号を復調およびダイバーシティ合成させ、合成されたＴＳ信号を多重分離部１０４ａに出力させる。
【００６２】
ステップＳ１２０７では、制御部１１０は、系列局チャンネルを信号強度が大きい順番に並べる。並べ替え後の系列局チャンネル順番は、ｂ６→ｂ２→ｂ１→ｂ３→ｂ４→ｂ５となる。
次に、制御部１１０は、選局部１０２ｂに「ｂ６」チャンネル（並べ替え後の先頭チャンネル）を設定し、選局部１０２ｂは「ｂ６」チャンネルを選局する（Ｓ１２０８）。ステップＳ１２０３と同様に、復調・合成部１２１は、「ｂ６」チャンネルの復調処理を行うと共に、受信品質情報を算出し、制御部１１０に出力する。また、多重分離部１０４ａは、ＰＳＩ／ＳＩ情報などを抽出し、制御部１１０に出力する。
【００６３】
制御部１１０は、これらの情報をもとに、受信判定を行う（Ｓ１２０９）。制御部１１０は、「ｂ６」チャンネルの受信品質と、選局部１０２ａの受信チャンネルの受信品質とを比較し、「ｂ６」チャンネルの受信品質の方が大きい（良好である）と判断した場合は、更に、ＰＳＩ／ＳＩ情報から系列ＩＤ（ａｆｆｉｌｉａｔｉｏｎ＿ｉｄ）を取得し、「局名Ｉ」の系列ＩＤと一致するか否かを判定する（Ｓ１２０９Ａ）。取得した系列ＩＤが「局名Ｉ」の系列ＩＤと一致した場合は、系列局と判断し、ステップＳ１２１０に進む。取得した系列ＩＤが「局名Ｉ」の系列ＩＤと一致しない場合、あるいは、ステップＳ１２０９で「ｂ６」チャンネルの受信品質が選局部１０２ａの受信品質よりも小さい（不良である）と判断した場合は、ステップＳ１２１１に進む。
【００６４】
ステップＳ１２１１では、他にサーチしていない系列局チャンネルがあるか否かを判定し、他に系列局チャンネルがある場合は（図中のＮＯ）、ステップＳ１２０８に戻り、ステップＳ１２０７で並べ替えた順番でチャンネル設定を行う。また、他にサーチしていない系列局チャンネルがない場合は（図中のＹＥＳ）、現在地において視聴可能な「局名Ｉ」の中継局チャンネルおよび系列局チャンネルは存在しないと判断し、フローの開始時点と同様なダイバーシティ合成による受信に戻し（Ｓ１２１２）、本フローを終了する。
【００６５】
ステップＳ１２１０では、放送受信部１０９はステップＳ１２０９およびＳ１２０９Ａで発見した系列局チャンネルを受信後、ダイバーシティ合成受信を行い、本フローを終了する。具体的には、制御部１１０は、選局部１０２ａ、１０２ｂに対して発見した系列局チャンネルを選局すると共に、復調・合成部１２１に対して２つの受信信号を復調およびダイバーシティ合成させ、生成されたＴＳ信号を多重分離部１０４ａに出力させる。
【００６６】
図１２Ｂは、本実施例の受信装置１１６におけるチャンネルサーチの動作を示すフローチャートの別の一例である。図１２Ａと同一符号は同一処理を示す。
ステップＳ１２１３では、制御部１１０は、記憶部１１１に記憶された放送局情報を参照し、中継局チャンネルおよび系列局チャンネルを一緒にし、信号強度が大きい順番に並べる。並べ替え後のチャンネル順番は、ａ１→ａ６→ｂ５→ａ７→ａ２→ｂ２→ａ４→ａ３→ａ５→ａ８→ｂ１→ｂ３→ｂ４→ｂ５となる。
【００６７】
次に、ステップＳ１２１４で、制御部１１０は、ダイバーシティ合成受信を解除する（Ｓ１２０２と同様）。
続いて、制御部１１０は、選局部１０２ｂに「ａ１」チャンネル（並べ替え後の先頭チャンネル）を設定し、選局部１０２ｂは「ａ１」チャンネルを選局する（Ｓ１２１５）。復調・合成部１２１は、「ａ１」チャンネルの復調処理を行うと共に、受信品質情報を算出し、制御部１１０に出力する。また、多重分離部１０４ｂは、ＰＳＩ／ＳＩ情報などを抽出し、制御部１１０に出力する。
【００６８】
制御部１１０は、これらの情報をもとに、受信判定を行う（Ｓ１２１６）。制御部１１０は、「ａ１」チャンネルの受信品質と、選局部１０２ａの受信チャンネルの受信品質とを比較し、「ａ１」チャンネルの受信品質の方が大きい（良好である）と判断した場合は、更に、ＰＳＩ／ＳＩ情報からネットワークＩＤおよび系列ＩＤを取得し、「局名Ｉ」のネットワークＩＤまたは系列ＩＤと一致するか否かを判定する（Ｓ１２１６Ａ）。取得したネットワークＩＤが「局名Ｉ」のネットワークＩＤと一致した場合、または取得した系列ＩＤが「局名Ｉ」の系列ＩＤと一致した場合、中継局または系列局と判断し、ステップＳ１２１７に進む。取得したネットワークＩＤと系列ＩＤがいずれも「局名Ｉ」のネットワークＩＤまたは系列ＩＤと一致しない、あるいは、ステップＳ１２１６での判定で受信品質情報から「ａ１」チャンネルを視聴できない受信品質と判断した場合は、ステップＳ１２１８に進む。
【００６９】
ステップＳ１２１８では、他にサーチしていない中継局チャンネルまたは系列局チャンネルがあるか否かを判定し、他にある場合は（図中のＮＯ）、ステップＳ１２１５に戻り、ステップＳ１２１４で並べ替えた順番でチャンネル設定を行う。また、他に中継局チャンネルまたは系列局チャンネルがない場合は（図中のＹＥＳ）、現在地において視聴可能な「局名Ｉ」の中継局チャンネルまたは系列局チャンネルは存在しないと判断し、フローの開始時点と同様なダイバーシティ合成による受信に戻し（Ｓ１２１９）、本フローを終了する。
ステップＳ１２１７では、放送受信部１０９はステップＳ１２１６およびＳ１２０６Ａで発見した中継局チャンネルまたは系列局チャンネルを受信後、ダイバーシティ合成受信を行い（Ｓ１２１９）、本フローを終了する。
【００７０】
先の図１２Ａでは、まず中継局のチャンネルをサーチし、受信状態の良いチャンネルを発見できなかった場合に系列局のチャンネルをサーチする。一方、図１２Ｂでは、中継局か系列局かを区別せずにチャンネルをサーチする。
【００７１】
図１２Ａ及び図１２Ｂでは、放送局情報に記載された全ての中継局チャンネルおよび系列局チャンネルについてサーチを行う処理としたが、例えば、信号強度が「０」、あるいは、信号強度が所定の閾値未満のチャンネルはサーチを行わない処理としても良い。所定の閾値とは、例えば、番組視聴に必要な最小の信号強度とすれば良い。
【００７２】
以上のように、一方の選局部１０２ａを用いて番組受信を継続しながら、他方の選局部１０２ｂを用いてチャンネルサーチを実行することで、番組視聴が途切れることなく、より受信状態が良好な中継局チャンネルやまたは系列局チャンネルをサーチすることができる。さらに、制御部１１０は、放送局情報の信号強度が大きいチャンネルから順番にサーチを行うことで、受信状態が良好な受信チャンネルを効率よく発見できるという効果がある。また、信号強度の閾値処理によりサーチ対象のチャンネル数を限定することで、チャンネルサーチ処理全体に要する時間を短縮することも可能である。
【実施例５】
【００７３】
本発明に係る実施例５におけるデジタル放送受信装置は、視聴者が選択した２つ以上の放送規格の番組を受信することができる。以下、第１放送規格と第２放送規格の番組を受信できるものとする。なお、実施例５におけるデジタル放送受信装置の構成は、図１１の構成と同様で良い。
【００７４】
本実施例では、センタサーバ１１８内の放送局情報データベース１１９には、第１放送規格と第２放送規格のそれぞれについて、放送局情報が管理されており、また、第１放送規格と第２放送規格で同一番組を放送している放送局についても管理されている。
受信装置１１６からセンタサーバ１１８に対して送信される放送局情報の取得要求には、受信装置１１６が現在受信している放送規格情報が含まれている。例えば、この放送規格情報が第１放送規格であった場合は、センタサーバ１１８は前記取得要求に応じて、第１放送規格の放送局情報に加えて、第１放送規格と同一番組を放送している第２放送規格の放送局の放送局情報を、受信装置１１６に送信する。
【００７５】
図１３は、第５の実施形態に係る放送局情報の一例を示す図であり、センタサーバ１１８から受信装置１１６に送信され、補正処理が行われた後、記憶部１１１に記憶された放送局情報の一例を示す。１３０１は、第１放送規格の放送局情報、１３０２は第１放送規格の「局名Ｉ」と同一番組を放送している第２放送規格の「局名ｉ」の放送局情報である。
図１４は、第５の実施形態に係るデジタル放送受信装置の動作フロー図であり、受信装置１１６におけるチャンネルサーチの動作を示す動作フローの一例を示す。
【００７６】
まず、初期状態として、受信装置１１６は、全ての選局部を用いたダイバーシティ受信により第１放送規格の「局名Ｉ」を受信している状態であるとする。具体的には、制御部１１０は、選局部１０２ａ、１０２ｂに「局名Ｉ」の受信チャンネルを設定し、選局部１０２ａ、１０２ｂは「局名Ｉ」のチャンネルを選局する。また、復調・合成部１２１は、２つの受信信号を復調・ダイバーシティ合成し、多重分離部１０４ａに出力する。そして、多重分離部１０４ａ、２入力対応Ａ／Ｖデコード部１２２、提示処理部１０７などを経由し、「局名Ｉ」の音声信号および映像信号がそれぞれ音声出力端子１０６および映像出力端子１０８から出力される。
【００７７】
ステップＳ１４０１で、制御部１１０は、ダイバーシティ合成受信を解除する。具体的には、制御部１１０は、復調・合成部１２１に対し、選局部１０２ａ、１０２ｂからの受信信号をそれぞれ復調し、ダイバーシティ合成は行わず、復調して得たＴＳ信号をそれぞれ多重分離部１０４ａ、１０４ｂに出力させる。
【００７８】
次に、ステップＳ１４０２に進み、まず制御部１１０は、記憶部１１１に記憶された第１放送規格の放送局情報を参照し、中継局チャンネルを信号強度が大きい順番に並べる。並べ替え後の中継局チャンネル順番は、ａ１→ａ２→ａ４→ａ３となる。制御部１１０は、選局部１０２ｂに「ａ１」チャンネル（並べ替え後の先頭チャンネル）を設定し、選局部１０２ｂは「ａ１」チャンネルを選局する。復調・合成部１２１は、「ａ１」チャンネルの復調処理を行うと共に、受信品質情報を算出し、制御部１１０に出力する。また、多重分離部１０４ｂは、ＰＳＩ／ＳＩ情報などを抽出し、制御部１１０に出力する。
【００７９】
制御部１１０は、これらの情報をもとに、第１放送規格に基づく中継局の受信判定を行う（Ｓ１４０３）。制御部１１０は、「ａ１」チャンネルの受信品質と、選局部１０２ａの受信チャンネルの受信品質とを比較し、「ａ１」チャンネルの受信品質の方が大きい（良好である）と判断した場合は、更に、ＰＳＩ／ＳＩ情報からネットワークＩＤを取得し、「局名Ｉ」のネットワークＩＤと一致するか否かを判定する。取得したネットワークＩＤが「局名Ｉ」のネットワークＩＤと一致した場合は、中継局と判断し（Ｓ１４０３のＹＥＳ）、発見した中継局チャンネルをダイバーシティ合成して受信し（Ｓ１４１０）、本フローを終了する。
【００８０】
取得したネットワークＩＤが「局名Ｉ」のネットワークＩＤと一致しない場合、あるいは、「ａ１」チャンネルの受信品質が選局部１０２ａの受信品質よりも小さい（不良である）と判断した場合は、Ｓ１４０２で並べ替えた順番で上記処理を行う。そして、他に中継局チャンネルがない場合は（Ｓ１４０３のＮＯ）、ステップＳ１４０４に進む。
【００８１】
ステップＳ１４０４では、制御部１１０は、第１放送規格の系列局チャンネルを信号強度が大きい順番に並べる。並べ替え後の系列局チャンネル順番は、ｂ２→ｂ１→ｂ３となる。制御部１１０は、選局部１０２ｂに「ｂ２」チャンネル（並べ替え後の先頭チャンネル）を設定し、選局部１０２ｂは「ｂ２」チャンネルを選局する。復調・合成部１２１は、「ｂ２」チャンネルの復調処理を行うと共に、受信品質情報を算出し、制御部１１０に出力する。また、多重分離部１０４ｂは、ＰＳＩ／ＳＩ情報などを抽出し、制御部１１０に出力する。
【００８２】
制御部１１０は、これらの情報をもとに、第１放送規格に基づく系列局の受信判定を行う（Ｓ１４０５）。制御部１１０は、「ｂ２」チャンネルの受信品質と、選局部１０２ａの受信チャンネルの受信品質とを比較し、「ｂ２」チャンネルの受信品質の方が大きい（良好である）と判断した場合は、更に、ＰＳＩ／ＳＩ情報から系列ＩＤを取得し、「局名Ｉ」の系列ＩＤと一致するか否かを判定する。取得した系列ＩＤが「局名Ｉ」の系列ＩＤと一致した場合は、系列局と判断し（Ｓ１４０５のＹＥＳ）、発見した系列局チャンネルをダイバーシティ合成で受信し（Ｓ１４１０）、本フローを終了する。
【００８３】
取得した系列ＩＤが「局名Ｉ」の系列ＩＤと一致しない場合、あるいは、「ｂ２」チャンネルの受信品質が選局部１０２ａの受信品質よりも小さい（不良である）と判断した場合は、Ｓ１４０４で並べ替えた順番（ｂ１→ｂ３）で上記処理を行う。そして、他に中継局チャンネルがない場合は（Ｓ１４０５のＮＯ）、ステップＳ１４０６に進む。
【００８４】
次に、ステップＳ１４０６に進み、まず制御部１１０は、記憶部１１１に記憶された第２放送規格の放送局情報を参照し、中継局チャンネルを信号強度が大きい順番に並べる。並べ替え後の中継局チャンネル順番は、ｃ１→ｃ３→ｃ２となる。制御部１１０は、選局部１０２ｂに「ｃ１」チャンネル（並べ替え後の先頭チャンネル）を設定し、選局部１０２ｂは「ｃ１」チャンネルを選局する。復調・合成部１２１は、「ｃ１」チャンネルの復調処理を行うと共に、受信品質情報を算出し、制御部１１０に出力する。また、多重分離部１０４ｂは、ＰＳＩ／ＳＩ情報などを抽出し、制御部１１０に出力する。
【００８５】
制御部１１０は、これらの情報をもとに、第２放送規格に基づく中継局の受信判定を行う（Ｓ１４０７）。制御部１１０は、「ｃ１」チャンネルの受信品質と、選局部１０２ａの受信チャンネルの受信品質とを比較し、「ｃ１」チャンネルの受信品質の方が大きい（良好である）と判断した場合は、更に、ＰＳＩ／ＳＩ情報からネットワークＩＤを取得し、「局名ｉ」のネットワークＩＤと一致するか否かを判定する。取得したネットワークＩＤが「局名ｉ」のネットワークＩＤと一致した場合は、中継局と判断し（Ｓ１４０７のＹＥＳ）、発見した中継局チャンネルをダイバーシティ合成して受信し（Ｓ１４１０）、本フローを終了する。
【００８６】
取得したネットワークＩＤが「局名ｉ」のネットワークＩＤと一致しない場合、あるいは、「ｃ１」チャンネルの受信品質が選局部１０２ａの受信品質よりも小さい（不良である）と判断した場合は、Ｓ１４０６で並べ替えた順番で上記処理を行う。そして、他に中継局チャンネルがない場合は（Ｓ１４０７のＮＯ）、ステップＳ１４０８に進む。
【００８７】
ステップＳ１４０８では、制御部１１０は、第２放送規格の系列局チャンネルを信号強度が大きい順番に並べる。並べ替え後の系列局チャンネル順番は、ｄ３→ｄ１→ｄ２→ｄ４となる。制御部１１０は、選局部１０２ｂに「ｄ３」チャンネル（並べ替え後の先頭チャンネル）を設定し、選局部１０２ｂは「ｄ３」チャンネルを選局する。復調・合成部１２１は、「ｄ３」チャンネルの復調処理を行うと共に、受信品質情報を算出し、制御部１１０に出力する。また、多重分離部１０４ｂは、ＰＳＩ／ＳＩ情報などを抽出し、制御部１１０に出力する。
【００８８】
制御部１１０は、これらの情報をもとに、受信判定を行う（Ｓ１４０９）。制御部１１０は、「ｄ３」チャンネルの受信品質と、選局部１０２ａの受信チャンネルの受信品質とを比較し、「ｄ３」チャンネルの受信品質の方が大きい（良好である）と判断した場合は、更に、ＰＳＩ／ＳＩ情報から系列ＩＤを取得し、「局名ｉ」の系列ＩＤと一致するか否かを判定する。取得した系列ＩＤが「局名ｉ」の系列ＩＤと一致した場合は、系列局と判断し（Ｓ１４０９のＹＥＳ）、発見した系列局チャンネルをダイバーシティ合成して受信し（Ｓ１４１０）、本フローを終了する。
【００８９】
取得した系列ＩＤが「局名ｉ」の系列ＩＤと一致しない場合、あるいは、「ｄ３」チャンネルの受信品質が選局部１０２ａの受信品質よりも小さい（不良である）と判断した場合は、Ｓ１４０８で並べ替えた順番で上記処理を行う。そして、他に系列局チャンネルがない場合は（Ｓ１４０９のＮＯ）、チャンネルサーチ前の受信チャンネルをダイバーシティ合成処理して受信し（Ｓ１４１０）、本フローを終了する。
【００９０】
なお、ステップＳ１４０６およびステップＳ１４０８における第２放送規格の中継局または系列局をサーチする処理においては、選局部１０２ａで受信している第１放送規格の受信チャンネルよりも受信品質が大きいことが第２放送規格の中継局または系列局に切り替えるための１つの条件とした。しかし、第１放送規格よりも第２放送規格の放送番組を優先して視聴したい場合には、第２放送規格の受信品質が第１放送規格の受信品質よりも不良であっても、視聴可能な受信品質を確保できていれば、第２放送規格の中継局または系列局に切り替えるための１つの条件をクリアできたことにしても良い。即ち、そのうえで中継局ＩＤまたは系列ＩＤが第２放送規格の中継局または系列局と一致していれば、受信チャンネルを第１放送規格から第２放送規格に切り替えて良い。
【００９１】
本実施例では、初期状態として、第１放送規格の番組を受信した例を説明したが、初期状態として、第２放送規格の番組を受信する場合についても、同じように説明することができる。
さらに第１の放送規格の中継局と系列局を区別せずにサーチした後に、第２の放送規格の中継局と系列局を区別せずにサーチする実施形態、或いは双方の放送規格の中継局と系列局を区別せずにサーチする実施形態も考えることができる。
【００９２】
また、以上の実施例においては、日本の地上デジタル放送規格であるＩＳＤＢ−Ｔを例に挙げて説明し、中継局の判断方法としてネットワークＩＤ、また系列局の判断方法として系列ＩＤを利用したが、これに限定するものではなく、放送規格によって中継局や系列局の判断方法に異なる情報が使用される場合には、放送規格に応じた情報を用いれば良い。
このように、ここまで示した実施例は一例であって本発明を限定するものではない。本発明の趣旨に基づきながら異なる実施形態を考えられるが、いずれも本発明の範疇にある。例えば、本実施例は車載用の放送受信装置、通称ワンセグ受信を用いた携帯電話、放送受信機能を有する移動情報端末をはじめとする、移動しながら使用される受信装置に対して汎く適用することができる。
【符号の説明】
【００９３】
１０１，１０２：アンテナ部、１０２：選局部、１０３：復調部、１０４：多重分離部、１０５：Ａ／Ｖデコード部、１０６：音声出力部、１０７：提示処理部、１０８：映像出力部、１０９：放送受信部、１１０：制御部、１１１：記憶部、１１２：ＣＨ選択部、１１３：位置情報検出部、１１４：双方向通信部、１１５：放送局情報信頼性補正部、１１６：受信装置、１１７：ネットワーク、１１８：センタサーバ、１１９：放送局情報データベース、１２０：放送局情報受信システム補正部、１２１：復調・合成部、１２２：２入力対応Ａ／Ｖデコード部、５０１，５０３，８０１：放送局情報補正図、５０２，５０４，８０２，１３０１，１３０２：放送局情報。
【図１】
2014230250.tif 000003
【図２】
2014230250.tif 000004
【図３】
2014230250.tif 000005
【図４】
2014230250.tif 000006
【図５Ａ】
2014230250.tif 000007
【図５Ｂ】
2014230250.tif 000008
【図６】
2014230250.tif 000009
【図７】
2014230250.tif 000010
【図８】
2014230250.tif 000011
【図９Ａ】
2014230250.tif 000012
【図９Ｂ】
2014230250.tif 000013
【図１０Ａ】
2014230250.tif 000014
【図１０Ｂ】
2014230250.tif 000015
【図１１】
2014230250.tif 000016
【図１２Ａ】
2014230250.tif 000017
【図１２Ｂ】
2014230250.tif 000018
【図１３】
2014230250.tif 000019
【図１４】
2014230250.tif 000020